(57)【特許請求の範囲】
【請求項１】
溶着処理される溶着加工材に振動を伝達させる治具を振動付与手段に連結させる振動溶着機における振動治具の装着装置であって、少なくとも振動体に固設される第１連結具と、治具に固設される第２連結具と、前記の第１及び第２連結具を着脱可能に連結可能な締付具とで構成され、当該締付具のネジ杆を前記第１連結具に回転可能に遊嵌させると共に、このネジ杆上に配設した一組の固定具を互いに接近させて前記第１と第２連結具を一体状に締結可能としたことを特徴とする振動治具の装着装置。
【請求項２】
前記第１連結具にはテーパー状の第１係合子を、前記第２連結具にもテーパー状の第２係合子をそれぞれ突設し、締付具のテーパー状凹部を形成した固定具を前記第１及び第２係合子に嵌合させて、第１及び第２連結具を一体状に固設可能とした請求項１記載の振動治具の装着装置。
【請求項３】
溶着処理される溶着加工材に振動を伝達させる治具を振動付与手段に連結させる振動溶着機における振動治具の装着装置であって、振動付与手段には締結ボルトを垂設し、当該振動付与手段に連設される治具には連結枠を形成し、この連結枠には前記締結ボルトを貫挿可能な透通孔を開設すると共に、締結ボルトの頭部を係止しうる板ワッシャを位置変更可能に連設しており、前記締結ボルトを前記透通孔に貫挿し、板ワッシャにより締結ボルトの頭部を抜脱不能に係止させて振動付与手段に治具を連設しうるように構成したことを特徴とする振動治具の装着装置。
【請求項４】
前記板ワッシャを締付ネジにより前記連結枠に位置変更可能に固設したことを特徴とする請求項３記載の振動治具の装着装置。
【請求項５】
前記板ワッシャには、前記締結ボルトの頭部を貫通させ、係止する係合孔を開設したことを特徴とする請求項４記載の振動治具の装着装置。
【発明の詳細な説明】
【０００１】
【発明の属する技術分野】
この発明は、複数の溶着部材に加圧状況下で横振動を付与して溶着部材間の相対的な振動運動により、その当接面に摩擦熱を誘発させて溶着部材を溶着処理する振動溶着技術の分野に属するものである。
【０００２】
【従来の技術】
従来、この種の振動溶着技術にあっては、昇降テーブル上に固定した下治具に、一方の溶着部材を担持させ、その上方には上治具に懸架された他方の溶着部材を臨ませ、上治具を振動手段によって振動させつつ双方の溶着部材を圧接し、加振して溶着する方式が一般的に採用されており、この場合に、上治具は振動手段の下面に多数のボルト等の連結手段によって装着脱可能に連結するものであった。
【０００３】
ところで、通常比較的に重量の大きい上治具を多数のボルトナット等の連結手段によって振動手段に装着脱して交換する作業は、オペレータにとって体力的に重労働を強いるものであるばかりでなく、正確に所要の位置に上治具をセットするための位置調整も容易ではないという不具合が指摘されていた。
【０００４】
【発明が解決しようとする課題】
この発明は、前記したような不具合を解消するために創意工夫されたものであって、その課題とする点を挙げれば次の如くである。
【０００５】
この発明が解決しようとする第１の課題点は、軽作業により迅速に治具を振動付与手段に装着脱しうるものを提供することである。
【０００６】
この発明が解決しようとする第２の課題点は、一方側からの操作によって治具を振動付与手段に装着脱出来るため、操作性が大巾に向上しうるものを提供することである。
【０００７】
この発明が解決しようとする第３の課題点は、板ワッシャを移動するだけで治具を振動付与手段に装着脱出来るため、治具の着脱が簡易で操作時間の短縮化を図ることが出来るものを提供することである。
【０００８】
この発明が解決しようとする第４の課題点は、交換の際に治具を装着脱しても治具の位置が不用意に変動されることなく、その取付位置の常時精密化を図ることが出来るものを提供することである。
【０００９】
【課題を解決するための手段】
前記の各課題を解決するための具体的な対応手段は、特許請求の範囲に記載の通りであって、その機能についてみれば次の如くである。
【００１０】
（１）  溶着処理される溶着加工材に振動を伝達させる治具を振動付与手段に連結させる振動溶着機における振動治具の装着装置であって、少なくとも振動体に固設される第１連結具と、治具に固設される第２連結具と、前記の第１及び第２連結具を着脱可能に連結可能な締付具とで構成され、当該締付具のネジ杆を前記第１連結具に回転可能に遊嵌させると共に、このネジ杆上に配設した一組の固定具を互いに接近させて前記第１と第２連結具を一体状に締結可能としたことを特徴とする振動治具の装着装置。
【００１１】
（２）  前記第１連結具にはテーパー状の第１係合子を、前記第２連結具にもテーパー状の第２係合子をそれぞれ突設し、締付具のテーパー状凹部を形成した固定具を前記第１及び第２係合子に嵌合させて、第１及び第２連結具を一体状に固設可能とした前記（１）  記載の振動治具の装着装置。
【００１２】
従って、治具は一方側からの軽作業により迅速に所要の位置に装着脱出来るものであり、その操作性の向上を図ることが出来るものである。
【００１３】
（３）  溶着処理される溶着加工材に振動を伝達させる治具を振動付与手段に連結させる振動溶着機における振動治具の装着装置であって、振動付与手段には締結ボルトを垂設し、当該振動付与手段に連設される治具には連結枠を形成し、この連結枠には前記締結ボルトを貫挿可能な透通孔を開設すると共に、締結ボルトの頭部を係止しうる板ワッシャを位置変更可能に連設しており、前記締結ボルトを前記透通孔に貫挿し、板ワッシャにより締結ボルトの頭部を抜脱不能に係止させて振動付与手段に治具を連設しうるように構成したことを特徴とする振動治具の装着装置。
【００１４】
（４）  前記板ワッシャを締付ネジにより前記連結枠に位置変更可能に固設したことを特徴とする前記（３）  記載の振動治具の装着装置。
【００１５】
（５）  前記板ワッシャには、前記締結ボルトの頭部を貫通させ、係止する係合孔を開設したことを特徴とする前記（４）  記載の振動治具の装着装置。
【００１６】
従って、治具は所要短時間に簡易に振動付与手段に装着脱しうるものであり、その取付位置の精密化が損なわれるおそれのないものである。
【００１７】
【発明の実施の形態】
以下、この発明の内容を図示した実施の形態に基づいて説明する。
【００１８】
（実施の形態１及び２の共通事項）
１．振動溶着機２０００の全体構成
図１に示すように振動溶着機２０００の基本構成は、所望の上治具ＰＷ１をフレーム２２００に配設した振動付与手段２３００に連結し、下治具ＰＷ２を上治具ＰＷ１に整列するように担持手段２１００上に位置調整可能に固定させ、昇降駆動手段２４００を作動させて担持手段２１００をガイド杆２５００に沿って昇降させうるように構成しており、振動溶着行程にあっては、上・下治具ＰＷ１、ＰＷ２に振動溶着処理される加工材ＷＯ１、ＷＯ２をそれぞれ連結させて対向状に配設し、加圧状態で振動を付与して溶着させうるものであるが、この行程は、次の通りである。
【００１９】
２．共通する振動溶着行程
実施の形態１及び２の振動溶着機２０００による共通の振動溶着行程は以下の通りである。
【００２０】
即ち、担持手段２１００上に固設した下治具ＰＷ２上に、下方の溶着加工材ＷＯ２を載置して固定し、上治具ＰＷ１に、上方の溶着加工材ＷＯ１を懸架し、両溶着加工材ＷＯ１、ＷＯ２の巾方向の位置が精密に整合するように関係位置を調整した後、昇降駆動手段２４００を始動してガイド杆２５００沿いに担持手段２１００を上昇させて下方の溶着加工材ＷＯ２を上方の溶着加工材ＷＯ１の下面に圧接させる。
【００２１】
この状態で振動付与手段２３００を始動させて振動体２３２０により上治具ＰＷ１を介して上方の溶着加工材ＷＯ１を横方向に振動させる。
【００２２】
これによって、上・下溶着加工材ＷＯ１、ＷＯ２の対向当接面において摩擦により発熱させ、溶着処理を実行するものである。
【００２３】
次いで、この位置で上・下溶着加工材ＷＯ１、ＷＯ２を維持させたまま振動付与手段２３００を一時停止させ、自然冷却により溶着領域を固形化させる。
【００２４】
次に、上下の溶着加工材ＷＯ１を上治具ＰＷ１から解離させ、昇降駆動手段２４００により担持手段２１００と共に、溶着され一体化された上下溶着加工材ＷＯ１、ＷＯ２を下降させ、最後に、これを下治具ＰＷ２から取り外して溶着行程を完了するものである。
【００２５】
（実施の形態１）
次に、上治具ＰＷ１の装着装置（本装置）１０００について説明する。
【００２６】
１．手段
図２及び図３に示すように本装置１０００は、振動付与手段２３００における振動体２３２０に連結される第１連結具１１００と、上治具ＰＷ１に連結される第２連結具１２００と、これらの第１、第２連結具１１００、１２００を一体状に締付け固定する締付具１３００とで構成されている。
【００２７】
▲１▼  第１連結具
前記の第１連結具１１００の主枠１１１０には、締付ネジ杆１３１０を螺挿するナット部１１１１を突設すると共に、その両端縁にテーパー状の第１係合子１１１２を形成しており、その透孔１１１３に取付ネジ１１１４を透通させて振動体２３２０の下面に螺着して、第１の連結具１１００を振動体２３００に連着させるものである。
【００２８】
▲２▼  第２連結具１２００
図２及び図３に示すように第２連結具１２００には、その上面に第１連結具１１００のナット部１１１１に係合しうる係合凹部１２０１を形成すると共に、その両端縁には、テーパー状の第２係合子１２０２を形成しており、その透孔１２０３に取付ネジ１２０４を透孔させて上治具ＰＷ１に螺着して、第２の連結具１２００を上治具ＰＷ１に連着させるものである。
【００２９】
▲３▼  締付具１３００
図２及び図３に示すように締付具１３００の締付ネジ杆１３１０を第１連結具１１００のナット部１１１１に螺通させると共に、その両端位置近傍にテーパー凹部１３２１を内向きに形成したコ字状を呈する２個の固定具１３２０を対向状に遊嵌させ、更に、その外側の締付ネジ杆１３１０上には締付ナット１３３０を螺合させたものである。
【００３０】
２．上治具ＰＷ１の取付行程
図２に示すように振動体２３２０に連結した第１連結具１１００と上治具ＰＷ１を連結した第２連結具１２００とを巾方向に整合させて配設し、第２連結具１２００を上昇させて図３に示すように第１連結具１１００の下面に当接させる。
【００３１】
次いで、締付ナット１３３０を螺進させて固定具１３２０を矢印イ、イ’に示すように互いに接近する方向に締付ネジ杆１３１０上で移動させ、各固定具１３２０のテーパー凹部１３２１を第１と第２係合子１１１２と１２０２とに嵌合させ、更に締付ナット１３３０を螺進させることによって、第１連結具１１００と第２連結具１２００を一体状に固定させて上治具ＰＷ１を振動体２３２０に連結させうるものである。
【００３２】
又、上治具ＰＷ１の交換の際には、前記とは逆に、締付ナット１３３０を緩めて矢印ロ、ロ’方向に固定具１３２０を移動させるだけで上治具ＰＷ１が振動体２３２０から解放されて容易にこれを交換しうるものである。
【００３３】
３．性能
前記のように構成したこの装着装置１０００にあっては、振動溶着機２０００の片側から横向きの操作によってオペレータが容易に、しかも軽作業で上治具ＰＷ１を振動体２３２０に装着脱しうるものであり、その作業時間が大巾に短縮されるばかりでなく、装着位置精度の安定化を図ることが出来るものである。
【００３４】
（実施の形態２）
振動治具の装着装置（本装置）１０００Ａの構成は次の通りである。
【００３５】
１．手段
図４及び図５に示す振動治具の装着装置１０００Ａが前記の装着装置１０００と相違する主な点は、振動体２３２０Ａに直接上治具ＰＷ１Ａを連着させるように構成した点である。
【００３６】
即ち、振動体２３２０Ａの下面には締結ボルト１１１４Ａを締付可能に螺装している。
【００３７】
他方、上治具ＰＷ１Ａの側縁に連結枠１４００Ａを張出し状に延設し、この連結枠１４００Ａに前記締結ボルト１１１４Ａを挿通させる透通孔１４１０Ａを開設する。
【００３８】
又、この連結枠１４００Ａの下面には図６に示すような板ワッシャ１４２０Ａを当接させ、図５に示すように、この板ワッシャ１４２０Ａに開設したガイド長孔１４２１Ａに頭付締付ネジ１４２２Ａを透通させて、板ワッシャ１４２０Ａを前記連結枠１４００Ａに位置変更可能に連結している。
【００３９】
又、この板ワッシャ１４２０Ａには締結ボルト１１１４Ａを挿通しうるＵ型状の係合溝１４２３Ａを開設している。
【００４０】
２．上治具ＰＷ１の取付行程
従って、上治具ＰＷ１Ａを取り付ける際には、頭付締付ネジ１４２２Ａを緩めて図４に示す位置からガイド長孔１４２１Ａ沿いに板ワッシャ１４２０Ａを矢印ハ方向に推進させて、図５右側に示すように締結ボルト１１１４Ａを係合溝１４２３Ａに臨ませるようにし、次いで振動体２３２０Ａの下面に上治具ＰＷ１Ａを接近させ、締結ボルト１１１４Ａを連結枠１４００Ａの透通孔１４１０Ａに貫通させると共に、板ワッシャ１４２０Ａの係合溝１４２３Ａにも貫通させて、その頭部１１１５Ａを板ワッシャ１４２０Ａの下面に露呈させる。
【００４１】
次に、この板ワッシャ１４２０Ａを更に矢印ハ方向に移動させて図５左側に示すように締結ボルト１１１４Ａの頭部１１１５Ａを係合溝１４２３Ａの端部に臨ませる。
【００４２】
この状態で、頭付締付ネジ１４２２Ａを締め付けて板ワッシャ１４２０Ａを連結枠１４００Ａに固定し、更に、締結ボルト１１１４Ａを締め付けて図５に示すように上治具ＰＷ１Ａを振動体２３２０Ａの下面に固設するものである。
【００４３】
又、上治具ＰＷ１Ａを交換する際には、前記の行程を逆順序に実行して板ワッシャ１４２０Ａを矢印ハ’方向に移動させて締結ボルト１１１４Ａの頭部１１１５Ａを係合溝１４２３Ａ並びに透通孔１４１０Ａから抜脱すればよいことは言うまでもない。
【００４４】
尚、ガイド長孔１４２１Ａを図７に示すようにＵ型状の長溝とし、更には図示しないが係合溝１４２３Ａについても閉鎖状の係合孔となるように設計変更出来ることは言うまでもない。
【００４５】
３．性能
以上説明したこの装着装置１０００Ａにあっても、前記した装着装置１０００に共通する点はあるが、加えて締結ボルト１１１４Ａや締付ネジ１４２２Ａを緩めて板ワッシャ１４２０Ａを移動させるだけで容易に上治具ＰＷ１Ａを装着脱出来るという利点があるものである。
【００４６】
【発明の効果】
以上説明したこの発明によってもたらされる特有の効果を挙げれば次の如くである。
【００４７】
▲１▼  治具を軽作業により迅速に振動付与手段に装着脱出来る。
【００４８】
▲２▼  治具を一方側からの操作で振動付与手段に装着脱出来る。
【００４９】
▲３▼  治具を所要短時間内に振動付与手段に装着脱出来る。
【００５０】
▲４▼  治具を装着脱して交換しても、その位置は変動されず、精密な位置に装着出来る。
【図面の簡単な説明】
【図１】この発明の実施の形態の共通的構成の説明図。
【図２】実施の形態１の装着装置の一部拡大側面図。
【図３】図２の作動状況の説明図。
【図４】実施の形態２の装着装置の一部拡大側面図。
【図５】図４の作動状況の説明図。
【図６】図４の板ワッシャの平面図。
【図７】図６の設計変更例図。
【符号の説明】
１０００（Ａ）    振動治具の装着装置
１１００          第１の連結具
１１１０          ネジ杆
１１１２          第１係合子
１１１４（Ａ）    締結ボルト
１２００          第２の連結具
１２０２          第２係合子
１３００          締付具
１３２０          固定具
１４００Ａ        連結枠
１４２０Ａ        板ワッシャ
２０００（Ａ）    振動溶着機
ＰＷ１（Ａ）      上治具
ＰＷ２（Ａ）      下治具
【図１】
0003629003.tif 000002
【図２】
0003629003.tif 000003
【図３】
0003629003.tif 000004
【図４】
0003629003.tif 000005
【図５】
0003629003.tif 000006
【図６】
0003629003.tif 000007
【図７】
0003629003.tif 000008